(57)【要約】    【課題】  就寝者の頭部や首筋部へ指圧効果を付与できる環状の安眠枕を提供する。    【解決手段】  就寝者（Ｍ）の頭部（１４）を支持できる一定高さ（ｈ）の断面ほぼ山型に折り曲げられた表布（Ａ）と、その中心の通気開口縁部（１１）と外周縁部（１２）に沿って結合一体化されたフラットな裏布（Ｂ）とから成り、上記表布（Ａ）と裏布（Ｂ）との中空内部へ木材のチップやそばの実、合成樹脂のビーズ、合成樹脂製ストローの輪切り片、その他の粒状物（１３）を、上記就寝者（Ｍ）の頭部（１４）が寝床面（Ｆ）まで沈没しない程度の必要量だけ充填して、その馴染み良く遊動する粒状物（１３）により、就寝者（Ｍ）の頭部（１４）や首筋部（１５）を指圧できるように定めた。【選択図】  図４
0003112040.tif 000002
【実用新案登録請求の範囲】
【請求項１】
就寝者（Ｍ）の頭部（１４）を支持できる一定高さ（ｈ）の断面ほぼ山型に折り曲げられた表布（Ａ）と、その中心の通気開口縁部（１１）と外周縁部（１２）に沿って結合一体化されたフラットな裏布（Ｂ）とから成り、
上記表布（Ａ）と裏布（Ｂ）との中空内部へ木材のチップやそばの実、合成樹脂のビーズ、合成樹脂製ストローの輪切り片、その他の粒状物（１３）を、上記就寝者（Ｍ）の頭部（１４）が寝床面（Ｆ）まで沈没しない程度の必要量だけ充填して、その馴染み良く遊動する粒状物（１３）により、就寝者（Ｍ）の頭部（１４）や首筋部（１５）を指圧できるように定めたことを特徴とする環状の安眠枕。
【請求項２】
平面視のほぼ扇型として悉く同じ大きさを有する複数枚の表布片（Ａ１）（Ａ２）（Ａ３）（Ａ４）（Ａ５）（Ａ６）が全体的なドーナツ型に継ぎ合わされた表布（Ａ）と、平面視の半ドーナツ型として互いに同じ大きさを有する２枚の裏布片（Ｂ１）（Ｂ２）が上記表布（Ａ）と対応するドーナツ型に継ぎ合わされた裏布（Ｂ）とから成り、
上記表布（Ａ）と裏布（Ｂ）との通気開口縁部（１１）同志並びに外周縁部（１２）同志を縫い付けたことを特徴とする請求項１記載の環状の安眠枕。
【請求項３】
中心に開口する通気口（Ｃ）の開口径（ｓ）を約６．５cmとし、断面ほぼ山型に折り曲げられた表布（Ａ）の高さ（ｈ）を約８〜１０cmとし、寝床面（Ｆ）に対する裏布（Ｂ）の接地帯幅（ｗ）を約１３cmとして、各々寸法化したことを特徴とする請求項１又は２記載の環状の安眠枕。
【請求項４】
表布（Ａ）と裏布（Ｂ）との中空内部へ粒状物（１３）を、その約１／12〜１／18の遊動間隙が確保される程度の一定量だけ充填したことを特徴とする請求項１、２又は３記載の環状の安眠枕。
【請求項５】
表布（Ａ）と裏布（Ｂ）とを互いに異なる布地として、しかも互いに異なる着色カラーや図柄模様を施したことを特徴とする請求項１、２、３又は４記載の環状の安眠枕。
【考案の詳細な説明】
【技術分野】
【０００１】
本考案は誰でも便利良く使える環状の安眠枕に関する。
【背景技術】
【０００２】
枕としても使える環状クッションについて、特開２０００−２３７９６号が提案されており、これが本考案に最も近似する公知技術であると考えられる。
【特許文献１】特開２０００−２３７９６号公報
【特許文献２】実公平６−２５１９１号公報
【考案の開示】
【考案が解決しようとする課題】
【０００３】
ところが、上記公知発明の環状クッションは市販されている空気枕の内部へ、その空気に代る「綿やウレタンフォームなどの弾性材（１８）」を充填したものであるに過ぎない。
【０００４】
つまり、その両表布半体（１２）（１２）の内部に対する充填物が、「綿やウレタンフォームなどの弾性材（１８）」である構成上、縫合状態での皺が発生せず、完成品（１０）の仕上がりが美しく滑らかになると雖も、個々の粒子が遊動する粒状物と異なって、就寝者の頭部へ指圧効果を与えることができない。
【０００５】
その弾性材（１８）の全体として弾性変形する過ぎず、言わば膜として軟らかく頭部へ密着することになるため、たとえ円形の開口（２０）が存在するとしても、就寝者の発汗を吸い込み、所謂頭寒足熱の逆効果を与えてしまうばかりでなく、上記弾性材（１８）が経時的に老化すると、就寝者の頭部を支持できず、その頭部が床面まで沈没する状態に扁平化してしまうのである。
【０００６】
又、環状クッションであるとしても、その最小径部（ｍ）と最大径部（Ｍ）での高さが意図的に相違された構成であるため、必らず就寝者の首筋側を低い最小径部（ｍ）へ、同じく頭頂側を高い最大径部（Ｍ）へ各々載せなければならず、その枕としての使用方向性が一定に位置決め規制されることとなり、未だ誰でも便利良く使うことができない。
【０００７】
更に、上記最小径部（ｍ）と最大径部（Ｍ）での高さが相違変化されており、円形の開口（２０）が偏心位置にあるため、その環状クッションの製作上も甚だ面倒であり、いたづらに難かしい計算式に基いて、必要な寸法を決定しなければならず、量産効果を最大限に発揮させることもできない。
【課題を解決するための手段】
【０００８】
本考案はこのような諸問題の改良を目的としており、その目的を達成するために、請求項１では環状の安眠枕として、就寝者の頭部を支持できる一定高さの断面ほぼ山型に折り曲げられた表布と、その中心の通気開口縁部と外周縁部に沿って結合一体化されたフラットな裏布とから成り、
【０００９】
上記表布と裏布との中空内部へ木材のチップやそばの実、合成樹脂のビーズ、合成樹脂製ストローの輪切り片、その他の粒状物を、上記就寝者の頭部が寝床面まで沈没しない程度の必要量だけ充填して、その馴染み良く遊動する粒状物により、就寝者の頭部や首筋部を指圧できるように定めたことを特徴とする。
【００１０】
又、請求項２の構成では平面視のほぼ扇型として悉く同じ大きさを有する複数枚の表布片が全体的なドーナツ型に継ぎ合わされた表布と、平面視の半ドーナツ型として互いに同じ大きさを有する２枚の裏布片が上記表布と対応するドーナツ型に継ぎ合わされた裏布とから成り、
【００１１】
上記表布と裏布との通気開口縁部同志並びに外周縁部同志を縫い付けたことを特徴とする。
【００１２】
請求項３の構成では、中心に開口する通気口の開口径を約６．５cmとし、断面ほぼ山型に折り曲げられた表布の高さを約８〜１０cmとし、寝床面に対する裏布の接地帯幅を約１３cmとして、各々寸法化したことを特徴とする。
【００１３】
請求項４の構成では、表布と裏布との中空内部へ粒状物を、その約１／12〜１／18の遊動間隙が確保される程度の一定量だけ充填したことを特徴とする。
【００１４】
更に、請求項５の構成では表布と裏布とを互いに異なる布地として、しかも互いに異なる着色カラーや図柄模様を施したことを特徴とする。
【考案の効果】
【００１５】
請求項１の上記構成によれば、一定高さの断面ほぼ山型に折り曲げられた表布の頂点が、平面視の環状形態をなしているため、使用中に或る程度沈下しても、又就寝者の頭部に大小変化があっても、その頭部を布団やその他の寝床面まで沈没させることなく、安定裡に受け持つことができ、又寝返り（体位変更）に際会しても、安眠枕自身のいたづらに移動するおそれがない。
【００１６】
しかも、表布と裏布との中空内部には木材のチップやそばの実、合成樹脂のビーズ、合成樹脂製ストローの輪切り片、その他の粒状物が、その粒子の遊動できる密封状態に充填されているため、就寝者の寝返りなどに追従して、その頭部や首筋部を効果的に指圧することができ、延いては立ちくらみや肩の懲り、メニエール病、いびきの発生などを予防し得るのである。
【００１７】
特に、請求項２の構成を採用するならば、環状の安眠枕を皺寄りが発生し難い優美な外観形態として、しかも容易に正しく製作することができ、量産効果の向上に役立つ。
【００１８】
請求項３の構成を採用するならば、就寝者の頭部に大小変化があっても、これに常時対応できる普遍的な安眠枕となり、又反復的な寝返り（体位変更）に際会するも、決して位置ズレを起すおそれがなく、定置力に優れた安眠枕を得られる効果がある。
【００１９】
又、請求項４の構成を採用するならば、一定の遊動間隙が確保された粒状物の充填量により、その粒子を馴染み良く遊動させて、就寝者の頭部や首筋部を一層有効に指圧することができる。
【００２０】
更に、請求項５の構成を採用するならば、表布と裏布との相違する着色カラーや図柄模様により、ますます優美な外観形態の安眠枕を得られ、その表裏の識別も一目瞭然となる。
【考案を実施するための最良の形態】
【００２１】
以下、図面に基いて本考案の具体的構成を詳述すると、その安眠枕の完成品と使用状態を示した図１〜４において、（Ａ）は夏期用のタオル生地や冬期用の毛布生地、その他の枕にふさわしい各種布地から成る表布であり、一定の直径（ｄ）を備えた平面視のドーナツ型に造形されていると共に、一定高さ（ｈ）の断面ほぼ山型に折り曲げ隆起させ得る余裕を有する。
【００２２】
（Ｂ）は寝床面（Ｆ）への接地ベースとなるフラットな裏布であって、上記表布（Ａ）と対応する大きさのドーナツ型をなし、これは表布（Ａ）と同じ布地でもさしつかえないが、特に表布（Ａ）と異なる木綿や麻、フェルトなどの布地を採用することにより、その表裏の識別に役立てることが好ましい。
【００２３】
又、その表布（Ａ）と裏布（Ｂ）に対しては染色や印刷、刺繍などの手段により、互いに異なる着色カラーや図柄模様を施しても良い。
【００２４】
何れにしても、上記表布（Ａ）と裏布（Ｂ）との中心に開口する通気開口縁部（１１）同志並びに外周縁部（１２）同志は、縫い付けや各種接着、その他の結合手段によって封止され、その中空内部には木材のチップやそばの実、合成樹脂のビーズ、合成樹脂製ストローの輪切り片、その他の粒状物（１３）が、その１種又は２種以上の混合状態として充填されている。（Ｃ）は中心の通気口を示している。
【００２５】
表布（Ａ）と裏布（Ｂ）との中空底部へ上記粒状物（１３）を満杯状態に充填すると、その粒状物（１３）の全体的な固形化により、硬く膨張した枕となるため、上記粒状物（１３）の平均的な大きさ（粒度）や材質などとの関係を考慮して、約１／12〜１／18の遊動間隙が発生する程度の一定量だけ充填する。
【００２６】
そうすれば、就寝者（Ｍ）の頭部（１４）を寝床面（Ｆ）まで沈没するおそれなく安定裡に支持でき、その頭部（１４）に大小変化があっても、又就寝者が寝返り（体位変更）しても、上記粒状物（１３）の粒子が自由に馴染み良く遊動して、就寝者（Ｍ）の頭部（１４）や首筋部（１５）へ指圧効果を付与することができる。
【００２７】
その場合、上記粒状物（１３）としてアットランダムに切削した木材（好ましくは硬質なシイタケや栃）のチップやそばの実を採用するならば、優れた指圧効果のほか、頭寒足熱となる冷気を与え得る効果もある。他方、合成樹脂のビーズや合成樹脂製ストローの輪切り片などを採用するならば、枕の所謂丸洗い・乾燥を行なえる利便性がある。
【００２８】
因みに、図１〜４では最も好ましい本考案の寸法として、その上記した直径（ｄ）を約３２．５cm、高さ（ｈ）を約８〜１０cm、通気口（Ｃ）の開口径（ｓ）を約６．５cm、寝床面（Ｆ）に対する裏布（Ｂ）の接地帯幅（ｗ）を約１３cmに設定しており、その裏布（Ｂ）の接地帯幅（ｗ）を斜辺とする断面ほぼ直角三角形の頂点（ｐ）において、就寝者（Ｍ）の頭部（１４）を安定良く支持できるようになっている。これが理想的な使用準備状態である。
【００２９】
図５〜１３は上記安眠枕の製作工程を示しており、その製作に当っては表布（Ａ）を予じめ図５のような平面視のほぼ扇型に裁断して、その悉く同じ大きさを有する合計６枚の表布片（Ａ１）（Ａ２）（Ａ３）（Ａ４）（Ａ５）（Ａ６）を準備しておく。他方、裏布（Ｂ）を予じめ図６のような平面視の半ドーナツ型に裁断することにより、その互いに同じ大きさを備えた合計２枚の裏布片（Ｂ１）（Ｂ２）として用意しておく。
【００３０】
そして、先ず表布片（Ａ１）（Ａ２）（Ａ３）と表布片（Ａ４）（Ａ５）（Ａ６）との３枚づつを１セットとして、図７、８のように継ぎ合わせることにより、上記裏布片（Ｂ１）（Ｂ２）の１枚づつと各々対応した平面視の半ドーナツ型をなす２枚に一旦形作る。
【００３１】
そこで、その半ドーナツ型となった表布片（Ａ１）（Ａ２）（Ａ３）と表布片（Ａ４）（Ａ５）（Ａ６）との２枚を、引き続き上記裏布片（Ｂ１）（Ｂ２）の２枚と各々図９、１０のように、中心の通気開口縁部（１１）同志での半円周分づつ縫い付け一体化する。
【００３２】
次いで、上記半ドーナツ型の表布片（Ａ１）（Ａ２）（Ａ３）と表布片（Ａ４）（Ａ５）（Ａ６）とを図１１のように、その直径線上での一対として並列する直線縁部（１６ａ）同志において縫い付けると共に、同じく半ドーナツ型の裏布片（Ｂ１）と裏布片（Ｂ２）とを図１２のように、その半径線となる何れか一方の直線縁部（１６ｂ）同志においてのみ縫い付け、残る他方の直線縁部同志においては縫い付けず、粒状物充填用スリット（１７）として解放状態に維持しておく。
【００３３】
その後、上記表布片（Ａ１）（Ａ２）（Ａ３）（Ａ４）（Ａ５）（Ａ６）と裏布片（Ｂ１）（Ｂ２）とを悉く図１３のように、その外周縁部（１２）同志において縫い付けるのであり、そうすれば全体的な平面視のドーナツ型に仕上がるが、未だ表布（Ａ）と裏布（Ｂ）とは上記半径線となる他方の直線縁部同志での解放状態にあるため、その粒状物充填用スリット（１７）から表布（Ａ）と裏布（Ｂ）との中空内部へ、上記粒状物（１３）を充填することができる。
【００３４】
最後に、上記解放状態の直線縁部同志も縫い付けて、その粒状物充填用スリット（１７）を封止すれば、図１〜４のような安眠枕の完成品を得られることになる。尚、その粒状物充填用スリット（１７）を縫い付け封止する代りに、ここへ図外のスライドファスナーやその他の開閉用具を取り付けておき、使用者が上記粒状物（１３）の出し入れを行なえるように定めても良い。
【００３５】
上記した製作工程によれば、環状の安眠枕をその封止される粒状物充填用スリット（１７）も含む全体として、可及的に少ない必要枚数の表布（Ａ）と裏布（Ｂ）とから、皺寄りが発生し難い優れた優美な完成品に仕上げることができ、上記合計６枚の表布片（Ａ１）（Ａ２）（Ａ３）（Ａ４）（Ａ５）（Ａ６）や合計２枚の裏布片（Ｂ１）（Ｂ２）が同じ大きさに分割されていることとも相俟って、安眠枕の量産効果も向上する。
【００３６】
但し、図示の実施形態では裏布片（Ｂ１）（Ｂ２）を半ドーナツ型の合計２枚として用意した関係上、これと縫い付ける表布片（Ａ１）（Ａ２）（Ａ３）（Ａ４）（Ａ５）（Ａ６）を合計６枚の偶数に設定しているが、その合計６枚以外の偶数に分割しても良く、又裏布（Ｂ）を１枚又は複数枚の奇数とする一方、表布（Ａ）を複数枚の奇数に分割しても良い。更に、環状の安眠枕である限り、図示のドーナツ型に代る正多角形の平面輪郭形状に造形してもさしつかえない。
【００３７】
本考案の安眠枕を使用するに当っては図４のように、裏布（Ｂ）が布団やその他の寝床面（Ｆ）へ接地することになる据え置き状態として、上方から上記直径（ｄ）よりも大きな別個の枕カバー（１８）を敷き掛け、更にその上方から就寝者（Ｍ）の頭部（１４）を載せれば良く、枕としての使用方向性に制約を受けることがない。
【００３８】
そうすれば、一定高さ（ｈ）の断面ほぼ山型に折り曲げられた表布（Ａ）の頂点（ｐ）が、平面視の環状形態をなしているため、たとえ或る程度沈下したとしても、又就寝者（Ｍ）の頭部（１４）に大小変化があっても、その頭部（１４）を常に安定良く受け持つことができ、反復的な寝返り（体位変更）に際会しても、安眠枕自身のいたづらに移動してしまうおそれはない。その中心の通気口（Ｃ）によって、就寝者（Ｍ）を頭寒足熱の状態に保てるのである。
【００３９】
しかも、表布（Ａ）と裏布（Ｂ）との中空内部には上記粒状物（１３）が、就寝者（Ｍ）の頭部（１４）を寝床面（Ｆ）まで沈下させない程度の必要量だけ充填されており、その個々の粒子は遊動できる状態にあるため、立ちくらみや肩の懲り、メニエール病などの所謂ツボである頭部（１４）や首筋部（１５）の百会、風池並びに天柱などを効果的に指圧することができ、又軟口蓋が振動するいびきの発生なども防止し得るのである。
【００４０】
尚、中心の通気口（Ｃ）を利用して、例えば物干し竿などに通し込んで自然乾燥させることができ、上記枕カバー（１８）も安眠枕自身と別個であるため、好みのそれを自由自在に交換使用でき、洗濯することも可能である。
【図面の簡単な説明】
【００４１】
【図１】本考案に係る環状の安眠枕を示す平面図である。
【図２】図１の底面図である。
【図３】図１の３−３線断面図である。
【図４】本考案に係る安眠枕の使用状態を示す断面図である。
【図５】表布を合計６枚の表布片に裁断した状態の平面図である。
【図６】裏布を合計２枚の裏布片に裁断した状態の底面図である。
【図７】表布片の３枚づつを１セットとして継ぎ合わせた状態の平面図である。
【図８】図７の８−８線断面図である。
【図９】表布片と裏布片との縫い付け状態を示す平面図である。
【図１０】図９の底面図である。
【図１１】表布の直径となる直線縁部同志を縫い付けた状態の平面図である。
【図１２】裏布の半径となる直線縁部同志を縫い付けた状態の底面図である。
【図１３】表布と裏布との外周縁部同志を縫い付けた状態の平面図である。
【符号の説明】
【００４２】
（１１）・通気開口縁部
（１２）・外周縁部
（１３）・粒状物
（１４）・頭部
（１５）・首筋部
（１６ａ）・直線縁部（表布）
（１６ｂ）・直線縁部（裏布）
（１７）・粒状物充填用スリット
（１８）・枕カバー
（Ａ）・表布、
（Ａ１）（Ａ２）（Ａ３）（Ａ４）（Ａ５）（Ａ６）・表布片
（Ｂ）・裏布
（Ｂ１）（Ｂ２）・裏布片
（Ｃ）・通気口
（Ｆ）・寝床面
（Ｍ）・就寝者
（ｄ）・直径
（ｈ）・高さ
（ｐ）・頂点
（ｓ）・開口径
（ｗ）・接地帯幅
【図１】
0003112040.tif 000003
【図２】
0003112040.tif 000004
【図３】
0003112040.tif 000005
【図４】
0003112040.tif 000006
【図５】
0003112040.tif 000007
【図６】
0003112040.tif 000008
【図７】
0003112040.tif 000009
【図８】
0003112040.tif 000010
【図９】
0003112040.tif 000011
【図１０】
0003112040.tif 000012
【図１１】
0003112040.tif 000013
【図１２】
0003112040.tif 000014
【図１３】
0003112040.tif 000015